(57)【特許請求の範囲】
【請求項１】
シリンダーボディに装着され、該ボティ内に配設されたロータのキー孔を外側から閉塞することによってシリンダー錠を保護し得るシリンダー錠の保護装置であって、
前記シリンダーボディの頭部上面においてロック位置とアンロック位置との間で移動し前記ロータ上面のキー孔を開閉し得るシャッターと、
前記シャッターに磁石を係合させることにより、当該シャッターをロック位置で保持するマグネット錠と、
前記磁石を遠隔操作で解錠位置に設定することにより、前記磁石とシャッターとの係合を解除して前記マグネット錠を解錠し、前記シャッターをアンロック位置に移動し得るモータもしくはソレノイドと、
前記キー孔に挿脱されつまみ部に設けた磁石で前記磁石を解錠位置に設定することにより、前記磁石とシャッターとの係合を解除して前記マグネット錠を解錠し、前記シャッターを手動でアンロック位置に移動し得るイグニッションキーと、を具備することを特徴とするシリンダー錠の保護装置。
【請求項２】
前記マグネット錠は、遠隔操作で正逆転するモータと、該モータの回転で前記磁石を施錠位置もしくは解錠位置に設定してシャッターをロック位置もしくはアンロック位置に保持し得るマグネット駆動部とを有することを特徴とする請求項１記載のシリンダー錠の保護装置。
【請求項３】
前記マグネット駆動部は、前記モータの回転軸にギヤを介して連結されたカムと、該カムに係合して上下動するロックシャフトと、該ロックシャフトの下降位置を検出するスイッチとを有し、前記スイッチでロックシャフトの下降位置を検知した際に、前記モータの回転を継続させることを特徴とする請求項２記載のシリンダー錠の保護装置。
【発明の詳細な説明】
【０００１】
【発明が属する技術分野】
本発明は、自動二輪車等に装備されるシリンダー錠の破壊等を防止し得るシリンダー錠の保護装置に関する。
【０００２】
【従来の技術】
従来、この種の保護装置としては、例えば特開平１１−４４１３２号公報に開示されている。この保護装置は、手動操作によってシリンダー錠の頭部上面においてロック位置（セット位置）とアンロック位置（リセット位置）との間を移動してロータ上面のキー孔を開閉し得るシャッターと、このシャッターをロック位置に保持することによりキー孔を閉塞して施錠するマグネット錠と、つまみ部に設けられた磁石の磁気によってマグネット錠を解錠するイグニッションキーとを具備するように構成したものである。
【０００３】
【発明が解決しようとする課題】
しかしながら、この保護装置にあっては、イグニッションキーのつまみ部に設けた磁石の磁気によって、手動操作でマグネット錠（すなわちシャッター）を開閉操作する構造であるため、例えばつまみ部をマグネット錠のマグネットキー孔に一々差し込んでマグネット錠を解錠する必要がある。そのため、イグニッションキーによるマグネット錠の解錠操作が非常に面倒となり、特に暗い場所においては、マグネットキー孔を手探り状態で探して、これにイグニッションキーのつまみ部を差し込む必要があることから、その操作が一層面倒になり易いという問題点があった。
【０００４】
本発明は、このような事情に鑑みてなされたもので、その目的は、シャッターによるキー孔の開閉を遠隔操作で行うことができて、その操作性を向上させ得ると共に、遠隔操作と手動操作の両方が行えて操作性により優れたシリンダー錠の保護装置を提供することにある。
【０００５】
【課題を解決するための手段】
かかる目的を達成すべく、本発明のうち請求項１記載の発明は、シリンダーボディに装着され、該ボティ内に配設されたロータのキー孔を外側から閉塞することによってシリンダー錠を保護し得るシリンダー錠の保護装置であって、前記シリンダーボディの頭部上面においてロック位置とアンロック位置との間で移動し前記ロータ上面のキー孔を開閉し得るシャッターと、前記シャッターに磁石を係合させることにより、当該シャッターをロック位置で保持するマグネット錠と、前記磁石を遠隔操作で解錠位置に設定することにより、前記磁石とシャッターとの係合を解除して前記マグネット錠を解錠し、前記シャッターをアンロック位置に移動し得るモータもしくはソレノイドと、前記キー孔に挿脱されつまみ部に設けた磁石で前記磁石を解錠位置に設定することにより、前記磁石とシャッターとの係合を解除して前記マグネット錠を解錠し、前記シャッターを手動でアンロック位置に移動し得るイグニッションキーと、を具備することを特徴とする。
【０００６】
このように構成することにより、保護装置は、シリンダー錠のシリンダーボディに装着されて使用され、遠隔操作でマグネット錠の磁石が少なくとも解錠位置に設定された際に、シャッターがアンロック位置に保持されてロータのキー孔が開放され、イグニッションキーによるエンジン作動が可能な状態となる。これにより、キー孔を保護するシャッターが遠隔操作でロック位置からアンロック位置に自動的に設定されることから、その操作性が向上する。また、磁石の解錠位置への設定をイグニッションキーのつまみ部に設けた磁石によって手動で行うことができることから、遠隔操作と手動操作の両操作によるシャッターのアンロック位置への設定が可能になって、操作性がより向上する。
【０００７】
また、請求項２記載の発明は、マグネット錠が、遠隔操作で正逆転するモータと、該モータの回転で磁石を施錠位置もしくは解錠位置に設定してシャッターをロック位置もしくはアンロック位置に保持し得るマグネット駆動部とを有することを特徴とする。このように構成することにより、遠隔操作でモータを正転もしくは逆転させると、これに連動してマグネット駆動部が作動し、磁石を施錠位置や解錠位置に設定することから、シャッターの開閉動作がモータの回転動作で確実に行える。
【０００８】
また、請求項３記載の発明は、マグネット駆動部が、モータの回転軸にギヤを介して連結されたカムと、該カムに係合して上下動するロックシャフトと、該ロックシャフトの下降位置を検出するスイッチとを有し、スイッチでロックシャフトの下降位置を検知した際に、モータの回転を継続させることを特徴とする。このように構成することにより、ロックシャフトが下降終了した時点でモータが停止することがなくなり、磁石が解錠位置に設定されると共にシャッターがアンロック位置に確実に保持される。
【０００９】
【発明の実施の形態】
以下、本発明の実施の形態を図面に基づいて詳細に説明する。
図１〜図８は、本発明に係わるシリンダー錠の保護装置の一実施例を示し、図１がその平面図、図２が背面図、図３が底面図、図４が図１のＡ−Ａ線断面図、図５がロックシャフトを示す正面図、縦断面図及び底面図、図６がアッパーカムとアンダーカムを示す平面図、縦断面図及び底面図、図７が可動ローラを示す平面図、縦断面図及び側面図、図８が作動状態を示す断面図である。
【００１０】
図１〜図４において、保護装置１は、上面側がカバー３で覆われたフレーム２を有し、このフレーム２の一端側の下部には、シリンダー錠５のシリンダーボディ２６が取付孔２ｂを利用して取り付けられるシリンダー錠取付凹部２ａが形成され、他端側にはマグネット錠４が配設されている。また、カバー３のシリンダー錠取付凹部２ａの上部には、シリンダー錠５のロータ６のキー孔７に対応する円形の孔３ａが形成され、マグネット錠４の上部にはマグネットキー孔３ｂが形成されている。
【００１１】
前記マグネット錠４は、フレーム２の上面側でカバー３の内側に移動可能に配置されたシャッター８と、このシャッター８の係合部８ａにその磁石９が係合するロックシャフト１０と、このロックシャフト１０を上下動させるアッパーカム１１及びアンダーカム１２と、前記シャッター８を回動させる可動ローラ１３と、正逆転可能なモータ１４とを有している。そして、モータ１４、両カム１１、１２、ロックシャフト１０、後述するマイクロスイッチ２５等によってマグネット駆動部が形成されている。
【００１２】
前記シャッター８は、金属板によって形成され、その基部側を中心に所定角度回動することにより、その先端部でロータ６のキー孔７を開閉する。また、前記ロックシャフト１０は、図５に示すように、そのシャフト部１０ａがＤカットされると共に、シャフト部１０ａ上部の本体部１０ｂには、直径方向にピン１５が貫通配置されてその先端部が所定寸法外側に突出している。本体部１０ｂの上面には複数の凹部１６が形成され、この凹部１６内に上端側に径小部９ａを有する前記磁石９がスプリング１７を介して嵌挿されると共に、本体部１０ｂの上面が孔を有するカバー１８で覆われることにより、磁石９の径小部９ａがカバー１８の孔に嵌入した状態でその上方への飛び出しが防止されている。
【００１３】
そして、この磁石９が、イグニッションキー１９のつまみ部１９ａに設けられた磁石２０で反発力を受けて下方に下がることにより、磁石９とシャッター８の孔もしくは凹部からなる係合部８ａとの係合状態が解かれて、シャッター８をアンロック位置に設定することが可能になる。なお、ロックシャフト１０のシャフト部１０ａは、その下端がフレーム２のＤカットされた孔２ｃに嵌合することにより、回転不能状態でフレーム２に上下動可能に配設されている。
【００１４】
前記アッパーカム１１とアンダーカム１２は、図６に示すように形成されている。すなわち、アッパーカム１１は、中心に段差が形成された嵌合孔１１ａを有する略筒状に形成され、その上面の外周縁の対角線位置には幅広の一対の係合凸部１１ｂが形成されている。また、このアッパーカム１１の下部に係合するアンダーカム１２は、上部側に前記アッパーカム１１の嵌合孔１１ａに嵌合する嵌合部１２ａが形成されると共に、前記ロックシャフト１０のシャフト部１０ａが嵌挿する軸部の外周面にはギヤ１２ｂが形成されている。
【００１５】
そして、アッパーカム１１の嵌合孔１１ａとアンダーカム１２の嵌合部１２ａの上端部との間には、円周方向に沿って上下の高さが異なるカム溝としての隙間２１が形成され、この隙間２１に前記ロックシャフト１０の本体部１０ｂのピン１５の両端部が係合している。なお、アンダーカム１２の外周面には、その対角線位置に一対のバネ止め２２が形成されている。
【００１６】
前記可動ローラ１３は、図７に示すように、中心に孔１３ａを有する略リング形状に形成され、孔１３ａの内周面にはその対角線位置に前記係合凸部１１ｂに係合し得る係合凹部１３ｂが形成されると共に、該係合凹部１３ｂの外側にはシャッター８を回動させるクラッチ機能を有する突起１３ｃが形成されている。そして、この可動ローラ１３は、孔１３ａ内面に形成されたバネ止め凹部１３ｄと、前記アンダーカム１２のバネ止め２２との間に係止されたバネ２３（図４参照）によって常時上方に付勢され、その所定の回転位置において、突起１３ｃがシャッター８の底面の凹部に係合し得るように構成されている。
【００１７】
前記モータ１４は、図２に示すようにマグネット錠４が配設されるフレーム２の底面に取り付けられ、図４に示すようにその回転軸１４ａがフレーム２内に突出している。この突出した回転軸１４ａの先端にはギヤ２４が固定され、このギヤ２４の外周面が前記アンダーカム１２の軸部のギヤ１２ｂに歯合している。そして、モータ１４は、例えば図示しない専用のリモコンキー（もしくは前記イグニッションキー１９）に設けられた操作釦の操作によって正逆転し得るように構成されている。
【００１８】
なお、図２及び図３に示すように、マグネット錠４が配設されるフレーム２部分の底面には、マイクロスイッチ２５が、その作動子をロックシャフト１０のシャフト部１０ａの下端に対応させた状態で取り付けられている。このマイクロスイッチ２５は、例えばその接点がモータ１４の電源回路に接続され、ロックシャフト１０のシャフト部１０ａが下降位置に達した場合に、接点がオンしてモータ１４への電源供給を継続してモータ１４を作動し続ける如く作用する。
【００１９】
次に、この保護装置１の動作について説明する。先ず、リモコンキーをアンロック操作してモータ１４を正回転させると、モータ１４の回転軸１４ａに固定されたギヤ２４に歯合しているアンダーカム１２が回転し、このアンダーカム１２の回転に追従してアッパーカム１１も一体となって回転する。この両カム１１、１２が回転すると、両カム１１、１２の間に形成されている隙間２１も円周方向に回転して上下方向の高さが変化し、隙間２１に係合しているピン１５を介してロックシャフト１０が下方に移動して、図８に示すように、本体部１０ｂ上面に配設されている磁石９がシャッター８の係合部８ａから下方に引き抜かれる。これにより、磁石９とシャッター８のロックが外れて磁石９が解錠位置に設定される。
【００２０】
アッパーカム１１がさらに回転すると、アッパーカム１１の係合凸部１１ｂと可動ローラ１３の係合凹部１３ｂが係合していることから、アッパーカム１１の回動につれて可動ローラ１３も回動する。そして、可動ローラ１３が回動すると、その突起１３ｃでシャッター８がアンロック方向に回動し、ロータ６のキー孔７が開いたアンロック位置に設定される。
【００２１】
この位置で、さらにモータ１４が回転すると、可動ローラ１３はシャッター８をさらに回転方向に押し、シャッター８がカバー３に当接するとバネ２３の付勢力に抗して下方に押し下げられる。この可動ローラ１３の下方への押し下げによって、可動ローラ１３の突起１３ｃがシャッター８から外れて可動ローラ１３が空回転するので、モータ１４の焼き付けやギヤ２４の破損が防止される。
【００２２】
これにより、リモコンキーのアンロック操作でシャッター８がキー孔７を閉塞したロック位置からキー孔７が開放されたアンロック位置に変更され、このアンロック位置において、開放しているキー孔７にイグニッションキー１９を差し込むことにより、例えばエンジンが作動可能な状態となる。なお、モータ１４の正回転でロックシャフト１０がアンロック位置に対応する位置まで下降すると、マイクロスイッチ２５が作動してモータ１４への電源供給が継続されることから、可動ローラ１３が押し下げられる位置まで回動させられ、これによりシャッター８がアンロック位置に確実に保持される。
【００２３】
一方、シャッター８をアンロック位置からロック位置にして、例えば車両の駐車中のキー孔７の破壊等を防止する場合は、リモコンキーをロック操作してモータ１４を逆回転させる。モータ１４が逆回転すると、可動ローラ１３が逆方向に回転してその突起１３ｃでシャッター８を逆方向（ロック位置方向）に回動させると共に、アンダーカム１２及びアッパーカム１１の逆方向への回動によって、両カム１１、１２で形成される隙間２１にピン１５で係合しているロックシャフト１０が上昇する。
【００２４】
そして、シャッター８がロック位置まで回動したら、磁石９の径小部９ａとシャッター８の係合凹部８ａが上下方向で一致し、スプリング１７で付勢されている磁石９が上方に突出して、その径小部９ａがシャッター８の係合部８ａに係合する。これにより、図４に示すように、磁石９が施錠位置に設定され、シャッター８の回動が磁石９で規制され保護装置１がロック位置に保持される。
【００２５】
また、前記マグネット錠４は、手動操作によってもロック位置からアンロック位置への操作（解錠）を行うことができる。この手動操作は、イグニッションキー１９のつまみ部１９ａに設けられた磁石２０を、カバー３のマグネットキー孔３ｂに差し込み、イグニッションキー１９の磁石２０と磁石９の反発力で磁石９を下降させて、シャッター８の係合部８ａとの係合状態を解除することによって行われる。
【００２６】
このように、上記実施例の保護装置１によれば、フレーム２内にモータ１４、アンダーカム１２とアッパーカム１１、可動ローラ１３、ロックシャフト１０及びシャッター８からなるマグネット錠４を設け、このマグネット錠４をリモコンキーの遠隔操作によって作動させて、マグネット錠４の磁石９を施錠位置や解除位置に設定することにより、シャッター８をロック位置やアンロック位置に保持することができるため、シャッター８のロック位置及びアンロック位置への操作を遠隔操作で行うことができて、その操作性を向上させることができる。
【００２７】
特に、シャッター８のロック位置からアンロック位置への変更、すなわち解錠操作をイグニッションキー１９のつまみ部１９ａに設けられた磁石２０の手動操作によっても行うこともができるため、例えばリモコンキーを所持していない場合のアンロック操作をイグニッションキー１９で行うことができて、より操作性に優れた保護装置１を得ることが可能になる。
【００２８】
また、リモコンキーの遠隔操作で、モータ１４を正回転もしくは逆回転させることにより、磁石９を施錠位置や解錠位置に設定して、シャッター８をロック位置やアンロック位置に保持することができるため、施錠動作や解錠動作を確実に行うことができると共に、解錠動作時に、ロックシャフト１０の下降を検知してモータ１４の回転を継続させるため、シャッター８をアンロック位置に確実に保持することができて、より確実な解錠動作等を得ることが可能になる。
【００２９】
さらに、保護装置１のフレーム２にシリンダー錠取付凹部２ａが設けられ、シリンダー錠５と保護装置１が別体で形成されているため、例えば市販されている各種シリンダー錠５のシリンダーボディ２６への保護装置１の取り付けを容易に行うことができ、各種シリンダー錠５のキー孔７への異物差し込み等による破壊を防ぐことができる等、汎用性に優れた保護装置１を得ることが可能になる。
【００３０】
図９〜図１３は、本発明に係わる保護装置の参考例を示し、図９がその平面図、図１０が背面図、図１１が底面図、図１２が図９のＢ−Ｂ線断面図、図１３が作動状態を示す断面図である。なお、上記実施例と同一部位には、同一符号を付して説明する。この参考例の保護装置１の特徴は、前記マグネット錠４を電磁ソレノイド３０とスライダー３１とで構成した点にある。
【００３１】
すなわち、フレーム２のマグネット錠４の取付部分の下部に、ヨーク３２、固定鉄心３３、可動バネ３４、可動鉄心３５及びコイル３６からなる電磁ソレノイド３０を配置すると共に、可動鉄心３５上にスライダー３１を係合状態で配置し、このスライダー３１の上面の凹部１６内にスプリング１７で常時上方に付勢された上下動可能な磁石９を配置する。磁石９は、その径小部９ａがカバー３７の孔に挿通され、カバー３７より上方に突出した径小部９ａがシャッター８の係合部８ａに係合し得ると共に、下部の径大部によってカバー３７上への飛び出しが防止されている。
【００３２】
この保護装置１によれば、ロック位置において、図１２に示すように、磁石９の径小部９ａがシャッター８の係合部８ａに係合して、シャッター８の移動（もしくは回動）を規制している。また、このロック位置を解錠する場合は、リモコンキーでアンロック操作すると、電磁ソレノイド３０のコイル３６に通電されて該ソレノイド３０が作動し、その可動鉄心３５が可動バネ３４の付勢力に抗して下方に引っ張られ、この可動鉄心３５の下方への引っ張りによって、スライダー３１も一体となって下降し、図１３（ａ）に示すように、磁石９の径小部９ａがシャッター８の係合部８ａから外れる。
【００３３】
そして、シャッター８と磁石９の係合状態が外れることにより、シャッター８が図示しないバネでアンロック方向に自動的に移動（もしくは回動）し、アンロック位置に保持される。したがって、この参考例の保護装置１は、リモコン操作で、ロック位置からアンロック位置への操作（解錠操作）が可能になる。一方、シャッター８を手動でアンロックする場合は、図１３（ｂ）の矢印に示すように、カバー３のマグネットキー孔３ｂにイグニッションキー１９の磁石２０を差し込み、その磁石２０の反発力で磁石９を下方に移動させることによって行う。
【００３４】
このように、この参考例の保護装置１においても、シャッター８のアンロック位置への操作をリモコン操作で電磁ソレノイド３０を作動させて確実に行うことができる等、上記実施例の保護装置１と略同様の作用効果を得ることができる。この参考例のアンロック位置からロック位置へのセットは、例えばシャッター８に設けられた押圧部３８を押圧操作することによって行うことになる。
【００３５】
なお、上記各例におけるマグネット錠４の構成、シャッター８の移動方向及び移動機構等も一例であって、本発明に係わる各発明の要旨を逸脱しない範囲において種々変更することができる。
【００３６】
【発明の効果】
以上詳述したように、請求項１記載の発明によれば、遠隔操作でマグネット錠の磁石が少なくとも解錠位置に設定された際に、シャッターがアンロック位置に保持されてロータのキー孔が開放されるため、キー孔を保護するシャッターの開閉操作を遠隔操作で行うことができて、その操作性を向上させることができる。また、磁石の施錠位置や解錠位置への設定をイグニッションキーのつまみ部に設けた磁石の手動操作によっても行うことができるため、保護装置の遠隔操作と手動操作の両操作が可能になって、操作性をより向上させることができる。
【００３７】
また、請求項２記載の発明によれば、請求項１記載の発明の効果に加え、マグネット錠が遠隔操作で作動するモータと該モータの回転で磁石を施錠位置もしくは解錠位置に設定し得るマグネット駆動部を有するため、シャッターのロック位置やアンロック位置への動作をモータの正逆転で簡単かつ確実に行うことができる。
【００３８】
また、請求項３記載の発明によれば、請求項２記載の発明の効果に加え、モータの回転がギヤやカムを介してロックシャフトに伝達されて該シャフトが下降すると、ロックシャフトの下降位置をスイッチが検出してモータの回転を継続させるため、ロックシャフトの下降終了時点でモータが停止することがなくなり、磁石を解錠位置、すなわちシャッターをアンロック位置に確実に保持することができて、より安定した動作が得られる。
【図面の簡単な説明】
【図１】  本発明に係わるシリンダー錠の保護装置の一実施例を示す平面図
【図２】  同その背面図
【図３】  同その底面図
【図４】  同図１のＡ−Ａ線断面図
【図５】  同そのロックシャフトを示し、（ａ）が正面図、（ｂ）が縦断面図、（ｃ）が底面図
【図６】  同そのアッパーカムとアンダーカムを示し、（ａ）が平面図、（ｂ）が縦断面図、（ｃ）が底面図
【図７】  同その可動ローラを示し、（ａ）が平面図、（ｂ）が縦断面図、（ｃ）が側面図
【図８】  同マグネット錠の作動状態を示す断面図
【図９】  本発明に係わるシリンダー錠の保護装置の参考例を示す平面図
【図１０】  同その背面図
【図１１】  同その底面図
【図１２】  同図９のＢ−Ｂ線断面図
【図１３】  同作動状態を示し、（ａ）が電動作動状態の断面図、（ｂ）が手動作動状態の断面図
【符号の説明】
１・・・・・・・・・保護装置
２・・・・・・・・・フレーム
２ａ・・・・・・・・シリンダー錠取付凹部
３・・・・・・・・・カバー
３ａ・・・・・・・・孔
３ｂ・・・・・・・・マグネットキー孔
４・・・・・・・・・マグネット錠
５・・・・・・・・・シリンダー錠
６・・・・・・・・・ロータ
７・・・・・・・・・キー孔
８・・・・・・・・・シャッター
８ａ・・・・・・・・係合部
９・・・・・・・・・磁石
１０・・・・・・・・ロックシャフト
１１・・・・・・・・アッパーカム
１１ｂ・・・・・・・係合凸部
１２・・・・・・・・アンダーカム
１３・・・・・・・・可動ローラ
１３ｂ・・・・・・・係合凹部
１３ｃ・・・・・・・突起
１４・・・・・・・・モータ
１５・・・・・・・・ピン
１９・・・・・・・・イグニッションキー
１９ａ・・・・・・・つまみ部
２０・・・・・・・・磁石
２１・・・・・・・・隙間
２５・・・・・・・・マイクロスイッチ
２６・・・・・・・・シリンダーボディ
３０・・・・・・・・電磁ソレノイド
３１・・・・・・・・スライダー
【図１】
0004471246.tif 000002
【図２】
0004471246.tif 000003
【図３】
0004471246.tif 000004
【図４】
0004471246.tif 000005
【図５】
0004471246.tif 000006
【図６】
0004471246.tif 000007
【図７】
0004471246.tif 000008
【図８】
0004471246.tif 000009
【図９】
0004471246.tif 000010
【図１０】
0004471246.tif 000011
【図１１】
0004471246.tif 000012
【図１２】
0004471246.tif 000013
【図１３】
0004471246.tif 000014